(57)【要約】【課題】  本発明は、植栽等で植えられる植物苗の根の土壌環境の急激な変化を和らげ、植栽植物の活着の向上や、健全な育成を図るための、根の養生材を提供することを目的とする。【解決手段】本発明は、植栽されたばかりの植物の根を保護することにより、植物の健全な生育を促すための養生材であって、肥料分を含まない土と、植物に有効なＶＡ菌根菌資材、パーライト、ベントナイト、有機高分子系団粒促進剤とを含む材料を成形してなる根の養生材。【選択図】図１１
2007185175.tif 000002
【特許請求の範囲】
【請求項１】
肥料分を含まない土と、ＶＡ菌根菌資材、パーライト、ベントナイト、有機高分子系団粒促進剤とを含む材料を成形してなる植栽苗の根の養生材。
【請求項２】
前記根の養生材が鉢および円柱形状、または円錐形状もしくは多角立方体、または多角錘さらには球、楕円体であって、苗を設置するための溝または空隙を備えた、請求項１に記載の根の養生材。
【請求項３】
前記根の養生材が、少なくとも二つの部分に分離可能な請求項２に記載の根の養生材。
【請求項４】
分割して成形された根の養生材の部材の外周部に、一つ以上溝を備えた請求項３に記載の根の養生材。
【請求項５】
前記根の養生材の部材の内面に、溝を備えた請求項３に記載の根の養生材。
【請求項６】
根の養生材の部材のそれぞれの縁どうしを接続させ、一体型で開閉が自由である構造の請求項３に記載の根の養生材。
【請求項７】
肥料分を含まない土と、植物に有効な菌類、パーライト、ベントナイトを混合し、これに有機高分子系団粒促進剤を加え土を団粒化する工程と、団粒化した土を一体成形する工程とを含んでなる根の養生材の製造方法。
【発明の詳細な説明】
【技術分野】
【０００１】  本発明は、違う土壌環境で育成された植物苗の根の環境を整えることにより、植栽された場所の土壌環境に徐々に順応させるための根の養生材に関する。
【背景技術】
【０００２】  従来、ふるい根の植栽は、裸根のまま土に植えるという方法がとられてきた。【０００３】  ふるい根の植栽に関しては、若い苗木等を裸の根のまま土中に植え込むので、苗木等の運搬や植え込みが非常に楽であるという優れた面を持っている。しかし苗木等は、別の土壌環境の圃場で管理育成される場合がほとんどであり、苗木等は新しい植栽地において厳しい土壌環境におかれることとなる。また、土壌環境の変化に加え、土壌改良材、肥料等が直接根に触れ根を傷める原因となっており、活着率の低下の原因の一つとなっている。【０００４】  特許文献１には、土中で分解してしまう材料で成形された育苗ポット容器が開示されている。１に開示されたポットは、育苗ポット容器としては有用である。しかし、ポットに培土を充填する必要があり、培土の重量や容積を計量し、一定量を充填する作業は非常に面倒で作業性が悪いという問題がある。また、開示されたポットは容器に関する技術であるため根の緩衝および養生を図る工夫はされていない。
【特許文献１】特許公開２００４−２５４６０４号公報
【発明の開示】
【発明が解決しようとする課題】
【０００５】  本発明は、植栽等で植えられる植物苗の根の土壌環境の急激な変化を和らげ、植栽苗の活着の向上や、健全な育成を図るための、根の養生材を提供することを目的とする。
【課題を解決するための手段】
【０００６】  本発明は、上記課題を解決するためになされたものである。すなわち、本発明は、根の養生材であって、肥料分を含まない土と、植物に有効なＶＡ菌根菌資材、パーライト、ベントナイト、有機高分子系団粒促進剤とを含む材料を成形してなる。【０００７】  前記根の養生材が鉢および円柱形状、または円錐形状もしくは多角立方体、または多角錘さらには球、楕円体であって、苗を設置するための溝または空隙を備えた形状が良い。【０００８】  本発明は、別の形状として、前記根の養生材が、少なくとも二つの部分に分離した形状を特徴としている。【０００９】  本発明は、前記根の養生材の部材の内面に溝を備えた形状を特徴としている。【００１０】  本発明は、また別の形状として、根の養生材の部材の縁どうしを接続させ、一体型で開閉が自由である構造形体を特徴としている。【００１１】  本発明は、別の態様として根の養生材の製造方法であり、肥料分を含まない土と、ＶＡ菌根菌資材、パーライト、ベントナイト、有機高分子系団粒促進剤とを含む材料を混合する工程と、混合物を分割成形、開閉が自由な一体型成形とする工程である。
【発明の効果】
【００１２】  本発明の根の養生材の第一の特徴としては、肥料が含まれていない土を使用することであり、これによる効果は、土壌改良材や肥料と根の接触を避けることで、根の肥料焼けを防止できること、さらには、植栽によって弱った根に肥料の刺激を与えず、植えられた苗木等の根が、新しい環境に適応して徐々に回復していく上での緩衝材の役目を果たしている。また、第二の特徴は、肥料が含まれていない土を団粒化させて使用することである。これによる効果は、団粒化した土が保水性や通気性に優れているので、弱った根に水分や酸素を供給できること、また、大小の空隙が多いことから、植物の根が発根伸長しやすい土壌環境をつくっていることである。さらに第三の特徴として、根の養生材には、植物に有効なＶＡ菌根菌資材を配合していることであり、これによる効果は、苗木の立ち枯れ病を防ぐ効果が大きいことや、ＶＡ菌根菌との共生により、植物が必要とする水分やミネラルを、ＶＡ菌根菌から吸収し健全な生育が容易となることである。
【発明実施の形態】
【００１３】  以下に、本発明を、図面を用い詳細に説明する。
図１は、本発明第一実施形態による根の養生材の正面図であり、図２は平面図、図３は図１に示したＡ−Ａの位置の断面図である。第一実施形態による根の養生材１は、鉢の形状である。図４は、本発明第二実施形態による根の養生材の部材２の正面図であり、図５は平面図その１、図６は平面図その２である。第二実施形態による根の養生材の部材２は、円柱形状のものを縦に半割りした形状をしている。根の養生材の部材２の平面には、溝３〜６が設けられている。また、第二実施形態による根の養生材の部材２の円弧の面には、溝７、８が設けられている。図７は、本発明第三実施形態による根の養生材９の正面図であり、図８は平面図その１、図９は平面図その２である。二つの根の養生材の部材２の平面には、紐１０、１１が設けられ、第二実施形態による根の養生材の部材二つを一体としている。
【００１４】  根の養生材１、９および部材２は、肥料分を含まない土と、ＶＡ菌根菌資材、パーライト、ベントナイト、有機高分子系団粒促進剤とを含む材料を成形してなる。
【００１５】  第一実施形態による根の養生材１は、鉢の形状をしており、主にポットで育苗された苗の根の養生を目的とし、育苗ポットの苗の根や土のまとまりが入る大きさである。根の養生材１の大きさは、育苗ポットの根や土のまとまりの大きさに合わせ設定できる。第二実施形態による根の養生材の部材２は、例えば円柱を縦に半割した形状であり、実施の場合は二つ組み合わせて用いる。部材の平面には、苗の根を設置、固定するための溝３〜６を設けている。この溝の数、大きさ、長さ、形状は限られたものではなく苗の根の大きさにより自由に設定できる。また、第二実施形態による根の養生材の部材２の円弧の面には、二つの部材を一体にするため使用する紐等がかかる溝７、８を設けている。この溝の数や大きさ、長さ、形状は限られたものではなく根の養生材の部材２の大きさにより自由に設定できる。なお、ここで言う紐については、二つの部材を一体にするために使用するものであり、材質にはこだわらない。第三実施形態による根の養生材９は、二つの根の養生材の部材２を紐等１０、１１で接続させたもので、自由に開閉できる構造となる。また、ここで言う紐についても材質にはこだわらない。さらに、溝３〜８についても上述した目的、数、大きさ、長さ、形状と同じである。
【００１６】  次に、第一実施形態による根の養生材１の製造方法について説明する。根の養生材の製造方法は、肥料分を含まない土と、ＶＡ菌根菌資材、パーライト、ベントナイトを混合し、これに有機高分子系団粒促進剤を加え土を団粒化する工程と、団粒化した土を一体成形する工程とを含んでいる。
【００１７】  肥料分を含まない土は、根の養生材の主成分であり、移植、植栽により傷めた根に肥料等の強い刺激を与えず根の回復を促すものである。根の養生材に対する肥料を含まない土の割合は４０〜８２質量％に配合するのが好ましい。肥料分を含まない土は、有害な物質、肥料成分を含んでいなければ使用でき、好ましいのは、有害な物質は国で定める基準値以下であり、窒素成分は土１００ｇに対して１ｍｇ以下、燐酸成分は土１００ｇに対して０．１ｍｇ以下、カリ成分は上１００ｇに対して１０ｍｇ以下である。また、団粒させるための土の粒度分布は、粘土から砂までの範囲で均等な土性が好ましい。
【００１８】  植物に有効な菌類は、苗木立ち枯れ病を防ぐため、あるいは、苗木の成長を促進させるためのものである。配合されている菌は、ＶＡ菌根菌であり植物と共生する菌である。この菌類の効果は既知のものであるが、苗木立ち枯れ病に対して優れた防疫効果を発揮し、さらには、苗木等の植物に水分、養分を供給する機能を持っている。根の養生材に対する、ＶＡ菌根菌資材の配合割合は、１０〜２０質量％に配合するのが望ましい。
【００１９】  パーライトは、根のマルチング材を軽量にするため、あるいは、保水性を高めるために配合するものである。根の養生材に対するパーライトの割合は３〜１０質量％に配合するのが好ましい。
【００２０】  ベントナイトは、肥料分を含まない土等と混合することにより固結力を高めるため、団粒を促進させるために使用し、根の養生材に対するベントナイトの割合は５〜３０質量％に配合するのが好ましい。
【００２１】  有機高分子系団粒促進剤は、肥料分を含まない土、ＶＡ菌根菌資材、パーライト、ベントナイトを撹拌混合した混合物に添加し、団粒反応を起こさせるために使用するものである。根の養生材に対する有機高分子系団粒促進剤の割合は０．０００１〜０．００１質量％に配合するのが好ましい。
【００２２】  また、根の養生材には、上記材料以外に、無肥料、保水力、耐病性、植物に対する有効性を損なわない限りにおいて、別の材料等を含んでもよい。
【００２３】  第一実施形態および第二実施形態の根の養生材の製造方法は、通常の温度、圧力下で、上記割合の肥料分を含まない上、ＶＡ菌根菌資材、パーライト、ベントナイトを１〜５分程度混合撹拌し、この撹拌したものに上記割合量の有機高分子系団粒促進剤を加えさらに１分程度撹拌混合すると、団粒化した土が製造される。次に、この団粒化した土を型に入れて圧縮成形し、常温で、たとえば、２４時間にわたって自然乾燥させることで、本発明の根の養生材を製造することができる。又は、圧縮成形した後、高温で、例えば、２〜３時間にわたって、乾燥機等で乾燥させることができる。なお、ここでいう常温とは、０〜４５℃とすることができる。また、高温とは４６〜８０℃とすることができる。なお、根の養生材の特性を損なわないかぎり、８１℃以上の乾燥温度であってもよい。
【００２４】  第三実施形態の根の養生材の製造方法は、二つ並んだ型の接する箇所にまたいで、材質にはこだわらない紐等を少なくとも一箇所以上置き、その上から団粒化した土を二つの型に入れ、二つ一緒に圧縮成形する。このことで、団粒化した土と、紐が一体となって成形され、紐１０、１１がヒンジの役目を持つことで、開閉自由な根の養生材９が成形される。また、ヒンジの役目をする紐１０、１１は、根の養生材の部材２の縁同士に接着しても製作可能である。乾燥については上記に示した方法と同じである。
【００２５】  上記組成を有し、上記方法で製造された根の養生材は、重量比で約１００％の水を保つ機能を持つ。
【００２６】  次に、本発明に係る根の養生材１、９および部材２の使用方法について説明する。根の養生材１は、おもにポット苗用であって、ポット苗の根のまとまりをポット容器から取り出し、根の養生材１へ入れ、そのまま植栽を行い使用するものである。根の養生材１の大きさは、ポット苗の根鉢サイズと同じかやや大きめのものが使用できる。また、植栽後に散水を行い、根の養生材に水を蓄えるのが苗の活着に好ましい。根の養生材の部材２は、おもにふるい根用であって、苗一本に対して部材を２個使用できる。苗の根を、根の養生材の部材２の溝に設置し、もう一つの根の養生材の部材２の溝のある面とはさみ合わせ、植え込み使用する。また、植栽後に散水を行い、根の養生材に水を蓄えるのが、苗の活着に好ましい。根の養生材の部材２の大きさは、ふるい根の根の大きさよりも大きいものが使用できる。また、直根が発達している苗は、根の養生材の部材２を縦に２個使用し、根が横に広がっている苗は、根の養生材の部材２を横に２個使用するとさらによい。根の養生材９は、根の養生材の部材２のそれぞれの部材の片側に、紐等によりヒンジを設け、開閉自在で一体化させたものである。開いた内側の面に根をセットし、はさみこんで植え付け使用できる。また、植栽後に散水を行い、根の養生材に水を蓄えるのが、苗の活着に好ましい。根の養生材９の大きさは、ふるい根の根の大きさよりも大きいものが使用できる。また、直根が発達している苗は、根の養生材９を縦に使用し、根が横に広がっている苗は、根の養生材９を横に使用するのが好ましく、さらには、紐等を溝７、８にかけ結び、苗を確実に固定して植え付けるとさらによい。
【００２７】  使用される苗は、草本類、木本類に限定されることはなく植栽可能な植物すべてに適用される。
【００２８】  図１０は、本発明の第一実施形態による根の養生材に、ポット苗の根鉢を入れた態様を示す概念図である。根の養生材１は、埋め戻される土と肥料や土壌改良材と根を直接触れさせないことや水分を供給することで根を養生する。図１１は、本発明の第二、第三実施形態による根の養生材を、直根の発達したふるい苗に対して縦に使用した態様を示す概念図である。図１２は、本発明の第二、第三実施形態による根の養生材を、根が横に発達したふるい根苗に対して横に使用した態様を示す概念図である。根の養生材の縦と横の使い分けは、植物の根の性状により決定できる。苗は、水分を供給する根の養生材の部材２により根が覆われ、さらには、埋め戻される土と肥料や土壌改良材と直接触れさせないことで根を養生する。
【００２９】  図示する根の養生材の部材２は、同一形状の部材を組み合わせて使用するが、本発明は、必ずしも同一形状の部材を組み合わせて使用することには限定されず、異なる二つ以上の部材を組み合わせて使用しても良い。また、合わせ面にそれぞれ凹凸部を設け、はめ込み式としてもよい。
【実施例１】
【００３０】  本発明の実施例１を以下に説明する。以下の実施例は、本発明を例示するものであって、本発明の根の養生材は、特定の大きさ、形状に限定されるものではない。【００３１】  本実施形態の製造方法に従って根の養生材を製造した。高さ１５ｃｍ、直径７ｃｍの根の養生材の部材の材料は、肥料分を含まない土として、有限会社久保建材の火山灰土を３００ｍｌ、菌根菌資材として、技研興業株式会社製のミドリナールＡを５０ｍｌ、パーライトとして、森産業株式のパーライトを３０ｍｌ、ベントナイトとして、クニミネ工業株式会社製のクニゲルＶ−１を８０ｇ混合撹拌し、有機高分子系団粒促進剤として、株式会社テルナイト製の環テクシード２００を０．２ｇ加え、団粒反応した肥料分を含まない土を得た。次に、この団粒した土を型に入れてプレス成形して、自然乾燥させ第二実施形態の根の養生材の部材を得た。【００３２】  成形用の型は、得られる根の養生材の部材高さＨ１が１５ｃｍ、直径Ｒ１が１７ｃｍ、溝の幅および深さが６ｍｍとなるように設計した。これは、高さ５０ｃｍ程度のふるい根苗木の根が収まる大きさであり、本実施の場合は、高さ６０ｃｍのふるい根のヤマハンノキ苗を使用した。【００３３】  得られた根の養生材の部材について、保水能力がどのくらいあるかを測定した。測定は、上記の組成で上記の製造方法により得られた６個の部材について行った。測定結果は、Ｎｏ．１〜６平均乾燥重量２９８ｇに対して吸水させた平均重量６０２ｇ、平均吸水量３０４ｍｌであった。すなわち、本実施例により得られた根の養生材の部材は、非常に好ましい保水力を示し、植え付けの際にも、破損したり欠けたりする事がなく、適度な強度を有するものであった。ふるい根苗木の活着も良好であり、試験を行ったヤマハンノキ１０本中すべてが活着していた。
【図面の簡単な説明】
【００３４】
【図１】本発明の第一実施形態による根の養生材の正面図である。
【図２】本発明の第一実施形態による根の養生材の平面図である。
【図３】本発明の第一実施形態による根の養生材の断面図である。
【図４】本発明の第二実施形態による根の養生材の部材の正面図である。
【図５】本発明の第二実施形態による根の養生材の部材の平面図その１である。
【図６】本発明の第二実施形態による根の養生材の部材の平面図その２である。
【図７】本発明の第三実施形態による根の養生材の正面図である。
【図８】本発明の第三実施形態による根の養生材の平面図その１である。
【図９】本発明の第三実施形態による根の養生材の平面図その２である。
【図１０】本発明の第一実施形態による根の養生材を使用した概念図である。
【図１１】本発明の第二、第三実施形態による根の養生材を縦に使用した概念図である。
【図１２】本発明の第二、第三実施形態による根の養生材を横に使用した概念図である。
【符号の説明】
【００３５】  １  第一実施形態による根の養生材
２  第二実施形態による根の養生材の部材
３  溝
４  溝
５  溝
６  溝
７  溝
８  溝
９  第三実施形態による根の養生材
１０  紐
１１  紐
１２  ポット苗木
１３  ポット苗木の根のまとまり
１４  直根が発達したふるい根苗木
１５  直根が発達したふるい根苗木の根
１６  根が横に発達したふるい根苗木
１７  根が横に発達したふるい根苗木の根
【図１】
2007185175.tif 000003
【図２】
2007185175.tif 000004
【図３】
2007185175.tif 000005
【図４】
2007185175.tif 000006
【図５】
2007185175.tif 000007
【図６】
2007185175.tif 000008
【図７】
2007185175.tif 000009
【図８】
2007185175.tif 000010
【図９】
2007185175.tif 000011
【図１０】
2007185175.tif 000012
【図１１】
2007185175.tif 000013
【図１２】
2007185175.tif 000014